(57)【要約】      （修正有）【課題】着座位置に湯たんぽを埋設することによって、着座者が安全に使用することができ、しかも、温熱時間を長くすることができる温熱座席を備えた椅子を提供する。【解決手段】温熱座席を備えた椅子１は、座席部２と背もたれ４を有している。座席部は２、断熱材からなるクッション体を有するとともに、断熱性を有する底板６上に配設され、着席部２の着座者の着座位置に対応させて、伸縮性及び防水性を有する容器に湯を入れる湯たんぽ８を着脱可能に埋設する凹所２ａが形成され、湯たんぽ８の側面及び底面をクッション体及び底板６によって包囲する。【選択図】図１
0003193493.tif 000002
【実用新案登録請求の範囲】
【請求項１】
座席部と背もたれを有する椅子であって、
前記座席部は、断熱材からなるクッション体を有するとともに、断熱性を有する底板上に配設され、
前記着席部の着座者の着座位置に対応させて、伸縮性及び防水性を有する容器に湯を入れる湯たんぽを着脱可能に埋設する凹所が形成され、
前記湯たんぽの側面及び底面を前記クッション体及び底板によって包囲した温熱座席を備えた椅子。
【請求項２】
前記着席部に形成された凹所に加え、断熱材からなるクッション体を有する背もたれの着座者の腰部に対応させた位置に湯たんぽを着脱可能に埋設する凹所を形成した請求項１に記載の温熱座席を備えた椅子。
【請求項３】
前記着席部に形成された凹所及び湯たんぽの面積を、着座者の着座面積よりも小さくした請求項１に記載の温熱座席を備えた椅子。
【考案の詳細な説明】
【技術分野】
【０００１】  本考案は、座席部と背もたれを有する椅子に関し、詳しくは、着座者の着座位置に湯たんぽを埋設した温熱座席を備えた椅子に関する。
【背景技術】
【０００２】  自律神経のバランスの乱れにより、全身の血流が悪化して低体温を招き、内臓の働きや免疫力の低下によって、様々な不快症状や病気を招くことがある。体を深部まで温める方法として入浴を勧められるが、短時間の入浴では体の冷えを深部から取り去ることができない。また、冷え性は、副交感神経の働きを弱め、頭痛や肩こり、体のだるさ、便秘、月経異常など体の不調を招き、さらに免疫力を低下させて様々な病気の原因となることが知られている。このような血行障害を防止するために、日常の生活の中で使用される椅子に着目し、着座部を暖めることにより、着座者の血行促進を図ることが特許文献１〜５に提案されている。
【先行技術文献】
【特許文献】
【０００３】
【特許文献１】特開２００９−２２５９２３号公報
【特許文献２】特開２００４−２６１４１５号公報
【特許文献３】特開平１０−１６５４４５号公報
【特許文献４】特開平４−１２９６０号公報
【特許文献５】特開平２−１１１３５０号公報
【考案の概要】
【考案が解決しようとする課題】
【０００４】  上記特許文献１〜５に開示された椅子の着座部に、電熱により加熱された蓄熱材を配設する構成、加熱された熱媒体を循環させる構成、或いは、電熱ヒーターを配設する構成が開示されている。しかしながら、蓄熱材や熱媒体を加熱するため、或いは電熱ヒーターに電力を供給するために、椅子に電力設備を設置しなくてはならず、大型になるとともに、コストアップになる問題がある。また、火災等の発生原因になることもあり、安全性にも問題があった。さらに、蓄熱材や熱媒体、或いは電熱ヒーターを着座部の広範囲に配設しているので、放熱面積が広くなることから、蓄熱材や熱媒体にあっては保温時間が短くなる問題があり、また電熱ヒーターにあっては消費電力が大きくなる問題がある。【０００５】  本考案が解決しようとする課題は、着座位置に湯たんぽを埋設することによって、着座者が安全に使用することができ、しかも、温熱時間を長くすることができる温熱座席を備えた椅子を提供することにある。
【課題を解決するための手段】
【０００６】  そこで、本考案による温熱座席を備えた椅子は、座席部と背もたれを有する椅子であって、前記座席部は、断熱材からなるクッション体を有するとともに、断熱性を有する底板上に配設され、前記着席部の着座者の着座位置に対応させて、伸縮性及び防水性を有する容器に湯を入れる湯たんぽを着脱可能に埋設する凹所が形成され、前記湯たんぽの側面及び底面を前記クッション体及び底板によって包囲したことを要旨としている。【０００７】  また、前記着席部に形成された凹所に加え、断熱材からなるクッション体を有する背もたれの着座者の腰部に対応させた位置に湯たんぽを着脱可能に埋設する凹所を形成しても良い。【０００８】  さらに、前記着席部に形成された凹所及び湯たんぽの面積を、着座者の着座面積よりも小さくすることが好ましい。
【考案の効果】
【０００９】  本考案による温熱座席を備えた椅子は、着座部の着座者の着座位置に形成した凹所に湯たんぽを着脱可能に埋設し、湯たんぽの側面及び底面を、断熱性を有するクッション体及び底板によって包囲したので、湯たんぽの保温効果を長時間持続させることができる。また、湯たんぽを伸縮性及び防水性を有する容器にしているので、湯たんぽが着座部に形成した凹所の形状に合わせて埋設されることから、着座部とほぼ同一平面とすることが可能となる。湯たんぽが伸縮性を有していることから、着座者の臀部に合わせて柔軟に受けるので、良好な座り心地を与えることができる。【００１０】  また、断熱材からなるクッション体を有する背もたれの着座者の腰部に対応させた凹所に湯たんぽを着脱可能に埋設することにより、湯たんぽの温熱効果により着座者の臀部に加えて腰部を加温することができる。【００１１】  着席部に形成された凹所及び湯たんぽの面積を、着座者の着座面積よりも小さくすることにより、断熱性を有するクッション体及び底板によって湯たんぽの側面及び底面が包囲されるとともに、着座者の臀部によって上面が断熱されるので、湯たんぽからの放熱が減少することから、保温効果をさらに長時間持続させることができる。
【図面の簡単な説明】
【００１２】
【図１】  本発明に関わる温熱座席を備えた椅子の実施例を示す斜視図である。
【図２】  図１に示す椅子を正面側から見た斜視図である。
【図３】  図１に示す椅子の断面図である。
【図４】  （Ａ）（Ｂ）は、湯たんぽの形態を示す斜視図である。
【図５】  湯たんぽの形態を異ならせた場合の実施例を示す断面図である。
【考案を実施するための形態】
【００１３】  本考案による温熱座席を備えた椅子は、座席部と背もたれを有していて、前記座席部は、断熱材からなるクッション体を有するとともに、断熱性を有する底板上に配設され、前記着席部の着座者の着座位置に対応させて、伸縮性及び防水性を有する容器に湯を入れる湯たんぽを着脱可能に埋設する凹所が形成され、前記湯たんぽの側面及び底面が前記クッション体及び底板によって包囲されている。
【００１４】  以下、図面に基づいて本考案の実施例を詳細に説明する。図１、図２に示す椅子１は、座席部２と、この座席部２を支持する４本の脚部３と、座席部２の後方端から立設された背もたれ４と、肘掛け５とを有している。座席部２は略四角形に形成され、上面には、内部にウレタンフォームやウレタンチップ、或いは、綿、合成繊維などの断熱性を有するクッション材を収納し、表面に布やレザー或いは樹脂シート等の上張で被覆されたクッション構造としている。また、背もたれ４も座席部２と同様の断熱性を有するクッション構造としている。
【００１５】  また、座席部２の底面には、木材や合成樹脂等の断熱性を有する底板６が設けられていて、底板６の上面に断熱性を有する上記クッション構造が設けられている。この底板６には、４本の脚部３が取り付けられている。さらに、背もたれ４も座席部２と同じように、木材や合成樹脂等の断熱性を有する裏板７が設けられていて、前面側に断熱性を有する上記クッション構造が設けられている。なお、底板６または裏板７の断熱性が不足する場合は、図１の仮想線の円内に示すように、周知の断熱材シート６ｂを貼設することが望ましい。
【００１６】  そして、座席部２には、着座者Ｍの着座位置に対応させて、湯たんぽ８を着脱可能に埋設する凹所２ａが形成されている。この凹所２ａの大きさは、図１に示すように、着座者Ｍの着座面積Ａよりも小さく形成され、座席部２を貫通している。
【００１７】  一方、湯たんぽ８は、ポリエチレン、プラスチック、ＰＶＣ、或いは、クロロプレンゴム等の樹脂製、または天然ゴムを素材とした伸縮性及び防水性を有する容器であり、容器内に湯を入れることによりクッション性を有している。湯たんぽ８には、側面に給湯孔８ａが設けられている。この湯たんぽ８は、容器内に湯を入れたときの形状が、図４（Ａ）に示すように、座席部２の凹所２ａの形状にほぼ等しく形成され、凹所２ａに着脱自在に埋設される。座席部２の凹所２ａを四角形とした場合には、湯たんぽ８の形状も凹所２ａの形状に合わせて、図４（Ｂ）に示すように四角形に形成される。また、凹所２ａには、給湯栓８ａとほぼ等しい大きさの溝が、座席部２の背もたれ４近傍に形成されている。このように、湯たんぽ８を凹所２ａに埋設状態した状態では、湯たんぽ８の上面が着座部２とほぼ同一平面とすることが望ましい。なお、給湯栓８ａは、着座部２の上面よりも低くしている。
【００１８】  そして、容器内に湯を入れて座席部２の凹所２ａに埋設したとき、湯たんぽ８の側面がクッション体によって包囲され、底面が底板６に当接することにより、上面を除く５面がクッション体及び底板６によって包囲されている。前述したように、クッション体及び底板６は断熱性を有していることから、湯たんぽ８の保温効果を長時間持続させることができる。さらに、凹所２ａ及び湯たんぽ８が着座者Ｍの着座面積Ａよりも小さく形成されているので、湯たんぽ８は、上面側においても着座者Ｍの臀部によって包囲されるので、保温効果をさらに長時間持続させることが可能となる。さらに、湯たんぽ８が伸縮性を有していることから、着座者Ｍの臀部を柔軟に受けることから、クッション体とともに良好な座り心地を与えることができる。
【００１９】  さらに、着席部２に形成された凹所２ａに加え、椅子１の背もたれ４にも、着座者Ｍの腰部に対応させた位置に湯たんぽ９を着脱可能に埋設するようにしても良い。背もたれ４は、前述したように、座席部２と同様の断熱性を有するクッション構造として、木材や合成樹脂等の断熱性を有する裏板７に設けられている。そして、背もたれ４の着座者Ｍの腰部に対応させた位置には、湯たんぽ９を埋設するための凹所４ａが形成されている。
【００２０】  湯たんぽ９も、前述した湯たんぽ８と同様の伸縮性及び防水性を有する素材によって形成された容器であり、容器内に湯を入れたときの形状が背もたれ４の凹所４ａの形状にほぼ等しく形成され、凹所４ａに着脱自在に埋設される。この状態では、湯たんぽ９の上面が背もたれ４とほぼ同一平面とすることが望ましい。
【００２１】  そして、容器内に湯を入れて背もたれ４の凹所４ａに埋設したとき、湯たんぽ９の側面と底面がクッション体及び底板６に包囲され、クッション体及び底板６の断熱性によって湯たんぽ９の保温効果を長時間持続させることができることも、前述した着席部２の場合と同様である。さらに、凹所４ａ及び湯たんぽ９の大きさを、着座者Ｍの腰部の面積よりも小さく形成することで、湯たんぽ９を着座者Ｍの腰部によって包囲し、保温効果をさらに長時間持続させることも前述した着席部２の場合と同様である。
【００２２】  図５は、湯たんぽ８、９の給湯栓８ａ、９ａを一方面の周縁側に形成した場合の変形例を示している。この場合には、例えば、底板６または裏板７に給湯栓８ａ、９ａを挿入するための孔６ａ、７ａを形成する。なお、孔６ａ、７ａから湯たんぽ８、９の熱が放出される場合には、孔６ａ、７ａを断熱シート等で封止することが望ましい。
【００２３】  以上、本発明を実施例に基づき具体的に説明したが、本発明は上記実施例に限定されるものではなく、その要旨を逸脱しない範囲で種々変形可能であることは言うまでもない。前述した実施例において、背もたれ及び座席部は、四角形以外に、円形や楕円形、或いは多角形にしても良い。また、湯たんぽを凹所に埋設した後に、カバー等で覆っても良い。さらに、湯たんぽが不用意に飛び出さないように、底板や裏板との接合面に、例えば、面ファスナーを設けて止着するようにしても良い。さらに、底板または裏板と湯たんぽとの間に、鉄粉の酸化作用を利用した使い捨てカイロを配設して、湯たんぽを加温するようにしても良い。
【符号の説明】
【００２４】１      椅子
２      座席部
２ａ    凹所
４      背もたれ
４ａ    凹所
６      底板
７      裏板
８、９  湯たんぽ
Ａ      着座面積
Ｍ      着座者
【図１】
0003193493.tif 000003
【図２】
0003193493.tif 000004
【図３】
0003193493.tif 000005
【図４】
0003193493.tif 000006
【図５】
0003193493.tif 000007
【手続補正書】
【提出日】平成26年7月16日(2014.7.16)
【手続補正１】
【補正対象書類名】実用新案登録請求の範囲
【補正対象項目名】全文
【補正方法】変更
【補正の内容】
【実用新案登録請求の範囲】
【請求項１】
座席部と背もたれを有する椅子であって、
前記座席部は、断熱材からなるクッション体を有するとともに、断熱性を有する底板上に配設され、
前記座席部の着座者の着座位置に対応させて、伸縮性及び防水性を有する容器に湯を入れる湯たんぽを着脱可能に埋設する凹所が形成され、
前記湯たんぽの側面及び底面を前記クッション体及び底板によって包囲した温熱座席を備えた椅子。
【請求項２】
前記座席部に形成された凹所に加え、断熱材からなるクッション体を有する背もたれの着座者の腰部に対応させた位置に湯たんぽを着脱可能に埋設する凹所を形成した請求項１に記載の温熱座席を備えた椅子。
【請求項３】
前記座席部に形成された凹所及び湯たんぽの面積を、着座者の着座面積よりも小さくした請求項１に記載の温熱座席を備えた椅子。
【手続補正２】
【補正対象書類名】明細書
【補正対象項目名】０００６
【補正方法】変更
【補正の内容】
【０００６】  そこで、本考案による温熱座席を備えた椅子は、座席部と背もたれを有する椅子であって、前記座席部は、断熱材からなるクッション体を有するとともに、断熱性を有する底板上に配設され、前記座席部の着座者の着座位置に対応させて、伸縮性及び防水性を有する容器に湯を入れる湯たんぽを着脱可能に埋設する凹所が形成され、前記湯たんぽの側面及び底面を前記クッション体及び底板によって包囲したことを要旨としている。
【手続補正３】
【補正対象書類名】明細書
【補正対象項目名】０００７
【補正方法】変更
【補正の内容】
【０００７】  また、前記座席部に形成された凹所に加え、断熱材からなるクッション体を有する背もたれの着座者の腰部に対応させた位置に湯たんぽを着脱可能に埋設する凹所を形成しても良い。
【手続補正４】
【補正対象書類名】明細書
【補正対象項目名】０００８
【補正方法】変更
【補正の内容】
【０００８】  さらに、前記座席部に形成された凹所及び湯たんぽの面積を、着座者の着座面積よりも小さくすることが好ましい。
【手続補正５】
【補正対象書類名】明細書
【補正対象項目名】００１１
【補正方法】変更
【補正の内容】
【００１１】座席部に形成された凹所及び湯たんぽの面積を、着座者の着座面積よりも小さくすることにより、断熱性を有するクッション体及び底板によって湯たんぽの側面及び底面が包囲されるとともに、着座者の臀部によって上面が断熱されるので、湯たんぽからの放熱が減少することから、保温効果をさらに長時間持続させることができる。
【手続補正６】
【補正対象書類名】明細書
【補正対象項目名】００１３
【補正方法】変更
【補正の内容】
【００１３】  本考案による温熱座席を備えた椅子は、座席部と背もたれを有していて、前記座席部は、断熱材からなるクッション体を有するとともに、断熱性を有する底板上に配設され、前記座席部の着座者の着座位置に対応させて、伸縮性及び防水性を有する容器に湯を入れる湯たんぽを着脱可能に埋設する凹所が形成され、前記湯たんぽの側面及び底面が前記クッション体及び底板によって包囲されている。
【手続補正７】
【補正対象書類名】明細書
【補正対象項目名】００１９
【補正方法】変更
【補正の内容】
【００１９】  さらに、座席部２に形成された凹所２ａに加え、椅子１の背もたれ４にも、着座者Ｍの腰部に対応させた位置に湯たんぽ９を着脱可能に埋設するようにしても良い。背もたれ４は、前述したように、座席部２と同様の断熱性を有するクッション構造として、木材や合成樹脂等の断熱性を有する裏板７に設けられている。そして、背もたれ４の着座者Ｍの腰部に対応させた位置には、湯たんぽ９を埋設するための凹所４ａが形成されている。
【手続補正８】
【補正対象書類名】明細書
【補正対象項目名】００２１
【補正方法】変更
【補正の内容】
【００２１】  そして、容器内に湯を入れて背もたれ４の凹所４ａに埋設したとき、湯たんぽ９の側面と底面がクッション体及び底板６に包囲され、クッション体及び底板６の断熱性によって湯たんぽ９の保温効果を長時間持続させることができることも、前述した座席部２の場合と同様である。さらに、凹所４ａ及び湯たんぽ９の大きさを、着座者Ｍの腰部の面積よりも小さく形成することで、湯たんぽ９を着座者Ｍの腰部によって包囲し、保温効果をさらに長時間持続させることも前述した座席部２の場合と同様である。